(57)【要約】  データレートポインタの現在の値が低い場合，データレートポインタを変更する通知を管理しており，ＵＥデバイス（１１）からの変更要求に応答する際にＮｏｄｅ  Ｂ（１０）によって用いられる予め定められた規則に基づいて，新しい最大許容データレートを指示するデータレートポインタ（１１ａ）をＮｏｄｅ  Ｂ（１０）からＵＥデバイス（１１）へ伝えるための方法及び対応する装置である。前記の予め定められた規則は，データレートポインタ（１１ａ）のさまざまな現在の値によって異なり，特に現在の値がゼロか，又はしきい値より低い場合は，急速増加を許す。
2007522717.tif 000002
【特許請求の範囲】
【請求項１】
無線通信システムのノード（１０）と無線通信を行うように構成されたＵＥデバイス（１１）に，該ＵＥデバイス（１１）内で管理されるデータレートポインタ（１１ａ）の値を調整するように指示する方法であって，前記データレートポインタ（１１ａ）は前記ノード（１０）へのアップリンクデータ送信のために前記ＵＥ（１１）が利用できる最大許容データレートを指示し，前記方法は，
前記ノード（１０）が，前記ＵＥデバイス（１１）による変更要求に応答する際に，予め定められた規則に基づいて変更コマンドを前記ＵＥデバイス（１１）に発行するステップ（２６）と，
前記ＵＥデバイス（１１）が前記データレートポインタ（１１ａ）を前記変更コマンドに従い，該変更コマンドを翻訳するための予め定められた規則に従って調整するステップ（２７）とを有し，
前記方法は，前記ノード（１０）が前記変更要求に応答する際に用いる前記の予め定められた規則が，前記データレートポインタ（１１ａ）の現在値によって異なることを特徴とする方法。
【請求項２】
前記の予め定められた規則が，前記データレートポインタ（１１ａ）のしきい値に比べた該データレートポインタ（１１ａ）の現在値によって異なることを更に特徴とする請求項１に記載の方法。
【請求項３】
前記現在値が前記しきい値より低いとき，前記変更コマンドが前記データレートポインタ（１１ａ）の新しい値を通知するか，又は前記データレートポインタ（１１ａ）を増加させるステップ数を通知することを更に特徴とする請求項２に記載の方法。
【請求項４】
前記の新しい値を，前記ＵＥデバイス（１１）を識別する指示子と共に，共有ダウンリンクチャネルを用いて通知することを更に特徴とする請求項３に記載の方法。
【請求項５】
前記の新しい値を，ダウンリンク専用物理データチャネル（ＤＰＤＣＨ）を用いて通知することを更に特徴とする請求項３に記載の方法。
【請求項６】
前記の新しい値を，ダウンリンク専用データチャネル，又はダウンリンク専用信号チャネルを用いて通知することを更に特徴とする請求項３に記載の方法。
【請求項７】
前記変更要求に応答する際に前記ノード（１０）によって用いられる前記の予め定められた規則に従って，前記ＵＥデバイス（１１）が前記変更コマンドを前記データレートポインタ（１１ａ）の現在値の異なる変更値に翻訳することを更に特徴とする請求項１に記載の方法。
【請求項８】
前記の予め定められた規則が，前記データレートポインタ（１１ａ）のしきい値に比べた該データレートポインタ（１１ａ）の現在値によって異なることを更に特徴とする請求項７に記載の方法。
【請求項９】
前記変更コマンドをポインタ増加コマンドとし，前記の現在値が前記しきい値よりも低いときは，前記ＵＥデバイス（１１）が前記ポインタ増加コマンドを，前記データレートポインタ（１１ａ）を予め定められた急速増加ポインタ値に変更するコマンドか，又は前記データレートポインタ（１１ａ）を予め定められた急速増加ステップ数によって変更するコマンドに翻訳することを更に特徴とする請求項８に記載の方法。
【請求項１０】
前記変更コマンドをポインタ減少コマンドとし，前記の現在値がゼロのときは，前記ＵＥデバイス（１１）が前記ポインタ減少コマンドを，前記データレートポインタ（１１ａ）を予め定められた急速増加ポインタ値に変更するコマンドか，又は前記データレートポインタ（１１ａ）を予め定められた急速増加ステップ数によって変更するコマンドに翻訳する請求項８に記載の方法。
【請求項１１】
前記現在値が前記しきい値よりも低いときは，前記ノード（１０）が前記のポインタ変更コマンドとして予め定められた長さのビット列を発行し，前記ＵＥデバイス（１１）が前記ビット列を前記データレートポインタ（１１ａ）の変更値を伝えるか，又は前記データレートポインタ（１１ａ）を変更するステップ値を伝えるものとして翻訳することを更に特徴とする請求項８に記載の方法。
【請求項１２】
前記ビット列の第１ビットをポインタ増加コマンドとし，前記のビット列の第１ビットを受信したとき，前記ＵＥデバイス（１１）は直ちに前記データレートポインタ（１１ａ）を１ステップだけ増加させ，前記ビット列の他のビットを受信したとき，前記ＵＥデバイス（１１）は，前記ポインタ変更コマンドとして前記ビット列を受信するように管理する前記の予め定められた規則に従って前記データレートポインタ（１１ａ）を変更することを更に特徴とする請求項１１に記載の方法。
【請求項１３】
ポインタ変更コマンドビット列の第１ビットがポインタ増加コマンドでないとき，前記ＵＥデバイス（１１）が前記第１ビット及び引き続くビットを個別ポインタ変更コマンドとして翻訳することを更に特徴とする請求項１２に記載の方法。
【請求項１４】
無線通信システムのノード（１０）内の計算機プロセッサによって実行するための計算機プログラムコードを実装した計算機可読記憶機構を具備する計算機プログラム製品であって，前記計算機プログラムコードは請求項１に記載の方法のステップを実行するための命令を含み，前記ノード（１０）によって実行するように指示されることを特徴とする計算機プログラム製品。
【請求項１５】
無線通信システムを介して通信を行うように適応させたユーザ装置デバイス（１１）内の計算機プロセッサによって実行するための計算機プログラムコードを実装した計算機可読記憶機構を具備する計算機プログラム製品であって，前記計算機プログラムコードは，請求項１に記載の方法のステップを実行するための命令を含み，前記ＵＥデバイス（１１）によって実行するように指示されることを特徴とする計算機プログラム製品。
【請求項１６】
無線通信システムのノード（１０）と無線通信を行うように構成されたＵＥデバイス（１１）が用いるための装置であって，該装置は前記ＵＥデバイス（１１）内で管理されるデータレートポインタ（１１ａ）の値を調整する際に用いられ，該データレートポインタ（１１ａ）が前記ノード（１０）へのアップリンクデータ送信のために前記のＵＥ（１１）が利用できる最大許容データレートを指示し，前記装置は，
前記ＵＥデバイス（１１）が前記ノード（１０）から変更コマンドを受信する手段（２７）と，
前記ＵＥデバイス（１１）が前記変更コマンドに従って前記データレートポインタ（１１ａ）を調整する手段（２７）とを含み，
前記変更コマンドを，前記データレートポインタ（１１ａ）の現在値によって異なる予め定められた規則に基づいて翻訳することを特徴とする装置。
【請求項１７】
ＵＥデバイス（１１）と無線通信を行うように構成された無線通信システムのノード（１０）が用いるための装置であって，前記ＵＥデバイス（１１）内で管理されるデータレートポインタ（１１ａ）の値を調整する際に用いられ，該データレートポインタ（１１ａ）が前記ノード（１０）へのアップリンクデータ送信のために前記のＵＥ（１１）が利用できる最大許容データレートを指示し，前記装置は，
前記ノード（１０）が前記ＵＥデバイス（１１）からの変更要求に応答する際に，前記データレートポインタ（１１ａ）の値を変更するための変更コマンドを前記ＵＥデバイス（１１）に発行する手段（２６）と，
前記ノード（１０）が前記データレートポインタ（１１ａ）の値を追跡する手段とを備え，
前記装置は，前記データレートポインタ（１１ａ）の現在値によって異なる予め定められた規則に基づいて，ポインタ変更コマンドを伴う前記変更要求に応答することを特徴とする装置。
【請求項１８】
無線通信システムのノード（１０）が機能を提供するコンポーネントと，該ノード（１０）と無線通信を行うように構成されたＵＥデバイス（１１）が機能を提供するコンポーネントとを含むシステムであって，該システムは前記ＵＥデバイス（１１）内で管理されるデータレートポインタ（１１ａ）の値を調整するように前記ＵＥデバイス（１１）に指示する際に用いられ，前記データレートポインタ（１１ａ）が前記ノード（１０）へのアップリンクデータ送信のために前記ＵＥ（１１）が利用できる最大許容データレートを指示し，前記システムは，
前記ノード（１０）が前記ＵＥデバイス（１１）による変更要求に応答する際に，前記変更要求に応答するための予め定められた規則に基づいて変更コマンドを前記ＵＥデバイス（１１）に発行する手段（２６）と，
前記ＵＥデバイス（１１）が前記変更コマンドに従い，該変更コマンドを翻訳するための予め定められた規則に基づいて前記データレートポインタ（１１ａ）を調整する手段（２７）とを含み，
前記システムは，前記変更要求に応答する際に前記ノード（１０）が用いる予め定められた規則が，前記データレートポインタ（１１ａ）の現在値によって異なることを特徴とするシステム。
【請求項１９】
前記無線通信システムのコアネットワークのコントローラ要素（１４）を更に備え，該コントローラ要素（１４）が，前記の予め定められた規則のパラメータを規定するのに十分な情報を，前記ノード（１０）及び該ノード（１０）を介して前記ＵＥデバイス（１１）に伝えることを更に特徴とする請求項１８に記載のシステム。
【請求項２０】
前記パラメータが，前記しきい値又はしきい値を特徴付ける情報を含む請求項１９に記載のシステム。
【請求項２１】
前記のしきい値を特徴付ける情報を，１以上の許可データレートとする請求項２０に記載のシステム。
【請求項２２】
前記パラメータが，前記の予め定められた急速増加ポインタ値を含む請求項２０に記載のシステム。
【請求項２３】
前記パラメータが，前記の予め定められた急速増加ステップ数を含む請求項２０に記載のシステム。
【発明の詳細な説明】
【技術分野】
【０００１】
本発明は，特に３ＧＰＰ仕様に基づく通信ネットワークを介した無線通信分野に関する。より特定すれば，本発明はＵＭＴＳ無線アクセスネットワークＵＴＲＡＮにおけるアップリンク性能に関し，更に特定すると，本発明はＵＥアップリンクのＮｏｄｅ  Ｂスケジューリングに関する。
【背景技術】
【０００２】
ＵＭＴＳ (Universal Mobile Telecommunication System) ネットワークは，さまざまな要素からなるコアネットワークと，ＵＴＲＡＮ (UMTS terrestrial radio access network) と呼ばれる無線アクセスネットワークとを含む。ＵＴＲＡＮは，いわゆるＮｏｄｅ  Ｂを制御する無線ネットワークコントローラ（ＲＮＣ）を含み，それが次にＵＥ（ユーザ装置）デバイス，すなわち例えば携帯電話機，と無線で通信を行う。ＵＭＴＳネットワークは３ＧＰＰ（第3世代パートナシッププログラム）仕様によって規定されたとおりに提供され運用されるが，３ＧＰＰ仕様は進化しつつあり，引き続くリリースが発行される。
【０００３】
リリース６として発行される予定の直近の進化においては，ＵＥとＮｏｄｅ  Ｂとの双方が，ＵＥが利用できる最大許容アップリンクデータレートを指示するデータレートポインタを個別に管理する必要のある，急速（ｆａｓｔ）Ｎｏｄｅ  Ｂ制御スケジューリング機構の提案が成されている。Ｎｏｄｅ  Ｂとの通信において実際に用いられるデータレート（データレートポインタによって指示されるレート以下の任意のレート）は，ＵＥによってＮｏｄｅ  Ｂに送信されるトランスポート形式組合せ指示子（ＴＦＣＩ）において指示される。データレートポインタは，差分通知（増加／減少）を用いた先行技術に従って更新される。データレートポインタの現在値を変更するＮｏｄｅ  Ｂコマンドは，データレートポインタを増加又は減少させるコマンドである。すなわち，データレートポインタによって指示されるデータレートを，ＴＦＣＳ（トランスポート形式組合せセット）として知られるデータレートのセットにおいて許容される次に高いデータレート，又は次に低いデータレートを指示するように，１ステップで変更するためのコマンドである。（ＵＥはレート要求通知を用いてデータレートポインタの変更を要求することだけが可能であり，Ｎｏｄｅ  Ｂが管理にあたる。Ｎｏｄｅ  ＢがＵＥからのレート要求を受理可能と判定したとき，それ自身のポインタエンティティを更新し，ＵＥにレート許可を通知する。Ｎｏｄｅ  Ｂがデータレートポインタの変更をさせないように判定したときは，非連続（ＤＴＸ）通知又はある他の通知によってその旨を指示することができる。）
【発明の開示】
【発明が解決しようとする課題】
【０００４】
さて典型的な場合においては，初期状態ではＵＥデバイスはデータをＮｏｄｅ  Ｂに送信せず，したがってＵＥデバイスが提供するアプリケーションからデータが到着すると，ＵＥデバイス内の送信バッファに格納される。したがってＵＥが送信すべき多数のデータを持っており，ネットワークは高い目標データレートでそれらを送信することができるが，データレートポインタが低い値（又はゼロ）に設定されているときは，高い目標データレートに達するには数回のレート要求／レート許可サイクルを要し，各データレートポインタ増加は１ステップずつ行われる。そのような増加（ｒａｍｐｉｎｇ  ｕｐ）は比較的遅い過程であり得るので，エンドユーザに対して必要以上の遅延をもたらすアップリンクリソースの準最適な利用と見なされる。
【０００５】
したがって，少なくともある状況において必要とされるのは，１ステップずつの増加を繰り返すよりも速く，低い値から高い値にＵＥデータレートポインタを変更できる機構である。
【課題を解決するための手段】
【０００６】
したがって，本発明の第１の態様では，無線通信システムのノードと無線通信を行うように構成されたＵＥデバイスが，ＵＥデバイス内で管理されるデータレートポインタの値を調整するように指示され，前記データレートポインタはノードへのアップリンクデータ送信のためにＵＥが利用できる最大許容データレートを指示する方法が提供される。その方法は，前記ノードが，前記ＵＥデバイスによる変更要求に応答する際に，予め定められた規則に基づいて変更コマンドを前記ＵＥデバイスに発行するステップと，前記ＵＥデバイスが前記データレートポインタを前記変更コマンドに従い，該変更コマンドを翻訳するための予め定められた規則に従って調整するステップとを有し，前記方法は，前記ノードが前記変更要求に応答する際に用いる前記の予め定められた規則が，前記データレートポインタの現在値によって異なることを特徴とする。
【０００７】
本発明の第１の態様によれば，前記の予め定められた規則は，前記データレートポインタのしきい値に比べた該データレートポインタの現在値によって異なってもよい。更に，前記現在値が前記しきい値より低いとき，前記変更コマンドが前記データレートポインタの新しい値を通知するか，又は前記データレートポインタを増加させるステップ数を通知する。また更に，前記の新しい値は，ダウンリンク専用物理データチャネルを用いて通知してもよいし，若しくはダウンリンク専用データチャネル，又はダウンリンク専用信号チャネルを用いて通知してもよい。
【０００８】
本発明の第１の態様によればまた，前記変更要求に応答する際に前記ノードによって用いられる前記の予め定められた規則に従って，前記ＵＥデバイスが前記変更コマンドを前記データレートポインタの現在値の異なる変更値に翻訳してもよい。更に，前記の予め定められた規則が，前記データレートポインタのしきい値に比べた該データレートポインタの現在値によって異なってもよい。また更に，前記変更コマンドをポインタ増加コマンドとしてもよく，前記方法は，前記の現在値が前記しきい値よりも低いときは，前記ＵＥデバイスが前記ポインタ増加コマンドを，前記データレートポインタを予め定められた急速増加ポインタ値に変更するコマンドか，又は前記データレートポインタを予め定められた急速増加ステップ数によって変更するコマンドに翻訳することによって更に特徴付けられる。また更に，前記変更コマンドをポインタ減少コマンドとしてもよく，前記の現在値がゼロのときは，前記ＵＥデバイスが前記ポインタ減少コマンドを，前記データレートポインタを予め定められた急速増加ポインタ値に変更するコマンドか，又は前記データレートポインタを予め定められた急速増加ステップ数によって変更するコマンドに翻訳する。また更に，前記の新しい値が前記しきい値よりも低いときは，前記ノードが前記のポインタ変更コマンドとして予め定められた長さのビット列を発行してもよく，前記ＵＥデバイスが前記ビット列を前記データレートポインタの変更値を伝えるか，又は前記データレートポインタを変更するステップ値を伝えるものとして翻訳してもよい。また更に，前記ビット列の第１ビットをポインタ増加コマンドとしてもよく，前記のビット列の第１ビットを受信したとき，前記ＵＥデバイスは直ちに前記データレートポインタを１ステップだけ増加させ，前記ビット列の他のビットを受信したとき，前記ＵＥデバイスは，前記ポインタ変更コマンドとして前記ビット列を受信するように管理する前記の予め定められた規則に従って前記データレートポインタを変更してもよい。また更に，ポインタ変更コマンドビット列の第１ビットがポインタ増加コマンドでないとき，前記ＵＥデバイスが前記第１ビット及び引き続くビットを，（急速増加値又は急速増加ステップ数を表す一つのポインタ変更コマンドを伝えるビットの組合せに反して）個別ポインタ変更コマンドとして翻訳してもよい。
【０００９】
本発明の第２の態様においては，計算機プログラム製品が提供される。該計算機プログラム製品は，無線通信システムのノード内の計算機プロセッサによって実行するための計算機プログラムコードを実装した計算機可読記憶機構を具備し，前記計算機プログラムコードは本発明の第１の態様に従う方法のステップを実行するための命令を含み，前記ノードによって実行するように指示されることを特徴とする。
【００１０】
本発明の第３の態様においては，計算機プログラム製品が提供される。該計算機プログラム製品は，無線通信システムを介して通信を行うように適応させたユーザ装置デバイス内の計算機プロセッサによって実行するための計算機プログラムコードを実装した計算機可読記憶機構を具備する計算機プログラム製品であって，前記計算機プログラムコードは，本発明の第１の態様に従う方法のステップを実行するための命令を含み，前記ＵＥデバイスによって実行するように指示されることを特徴とする。
【００１１】
本発明の第４の態様においては，無線通信システムのノードと無線通信を行うように構成されたＵＥデバイスが用いるための装置が提供される。該装置は，前記ＵＥデバイス内で管理されるデータレートポインタの値を調整する際に用いられ，該データレートポインタが前記ノードへのアップリンクデータ送信のために前記のＵＥが利用できる最大許容データレートを指示し，前記装置は，前記ＵＥデバイスが前記ノードから変更コマンドを受信する手段と，前記ＵＥデバイスが前記変更コマンドに従って前記データレートポインタを調整する手段とを含み，前記変更コマンドを，前記データレートポインタの現在値によって異なる予め定められた規則に基づいて翻訳することを特徴とする。
【００１２】
本発明の第５の態様においては，ＵＥデバイスと通信を行うように構成された無線通信システムのノードが用いるための装置が提供される。該装置は，前記ＵＥデバイス内で管理されるデータレートポインタの値を調整する際に用いられ，該データレートポインタが前記ノードへのアップリンクデータ送信のために前記のＵＥが利用できる最大許容データレートを指示し，前記装置は，前記ノードが前記ＵＥデバイスからの変更要求に応答する際に，前記データレートポインタの値を変更するための変更コマンドを前記ＵＥデバイスに発行する手段と，前記ノードが前記データレートポインタの値を追跡する手段とを備え，前記装置は，前記データレートポインタの現在値によって異なる予め定められた規則に基づいて，ポインタ変更コマンドを伴う前記変更要求に応答することを特徴とする。
【００１３】
本発明の第６の態様においては，無線通信システムのノードが機能を提供するコンポーネントと，該ノードと無線通信を行うように構成されたＵＥデバイスが機能を提供するコンポーネントとを含むシステムが提供される。該システムは前記ＵＥデバイス内で管理されるデータレートポインタの値を調整するように前記ＵＥデバイスに指示する際に用いられ，前記データレートポインタが前記ノードへのアップリンクデータ送信のために前記ＵＥが利用できる最大許容データレートを指示し，前記システムは，前記ノードが前記ＵＥデバイスからの変更要求に応答する際に，前記データレートポインタの値を変更するための変更コマンドを，前記変更要求に応答するための予め定められた規則に基づいて前記ＵＥデバイスに発行する手段と，前記ＵＥデバイスが前記変更コマンドに従い，該変更コマンドを翻訳するための予め定められた規則に基づいて調整する手段とを含み，前記システムは，前記変更要求に応答する際に前記ノードが用いる予め定められた規則が，前記データレートポインタの現在値によって異なることを特徴とする。
【００１４】
本発明の第６の態様によれば，前記システムは前記無線通信システムのコアネットワークのコントローラ要素を更に備えてもよく，該コントローラ要素が，前記の予め定められた規則のパラメータを規定するのに十分な情報を，前記ノード及び該ノードを介して前記ＵＥデバイスに伝えることを更に特徴としてもよい。更に，前記パラメータが，前記しきい値又はしきい値を特徴付ける情報を含んでもよい。また更に，前記のしきい値を特徴付ける情報が，１以上の許可データレートであってもよい。また更に，前記パラメータが，前記の予め定められた急速増加ポインタ値を含んでもよい。また更に，前記パラメータが，前記の予め定められた急速増加ステップ数を含んでもよい。
【００１５】
本発明の上記並びに他の目的，特徴及び利点は，付属の図面に関連して提示される引き続く詳細な説明を考慮することにより明らかになるであろう。
【発明を実施するための最良の形態】
【００１６】
ここで図１を参照すると，Ｎｏｄｅ  Ｂ／基地局，すなわちより一般的には無線通信システムの無線アクセスネットワークのアクセスポイントと，そのＮｏｄｅ  Ｂに通信で結合されたＵＥデバイスとの双方は，それぞれＴＦＣＳ（トランスポート形式組合せセット）１０ｂと１１ｂとを管理している。そのＴＦＣＳは，サービス提供ＲＮＣ（無線ネットワークコントローラ）１４，すなわちより一般的にはアクセスポイントコントローラ，によってＮｏｄｅ  ＢとＵＥ（Ｎｏｄｅ  Ｂを介して）とに通知される。ＴＦＣＳ１０ｂと１１ｂとは，それぞれ同じＴＦＣ（トランスポート形式組合せ）のセット１０ｃと１１ｃとを含む。各ＴＦＣはＵＥからＮｏｄｅ  Ｂへのアップリンク送信のための最大許容データレートに対応する。ここでＴＦＣは，データレートを増加させるために，ＴＦＣのうち特定の１個を指示するポインタ１０ａと１１ａとを有し，それによってＵＥデバイスがＮｏｄｅ  Ｂへデータを伝えるために許される最大レートとして対応するデータレート（それは次に対応する送信電力を指示することになる）を指示するように構成される。ここで用いられているポインタという用語は，典型的には他のデータオブジェクトの値が格納されているメモリ内の位置を示す，実行コードによって用いられるデータオブジェクトのことであるが，本願の場合は以下で議論するように，他のデータオブジェクトはアップリンクのレート値である。（しかし，ポインタという用語は，ここではアップリンクのレートに対応するデータオブジェクトの値の任意の指示子を意味するものと理解するのが望ましい。例えば，ここで用いられるポインタという用語は，アップリンクレートのさまざまなとり得る値の１次元配列における特定のエントリを指示するのに用いられる整数値を意味することができる。）データレートポインタ１１ａによって示されるＴＦＣは，ＵＥデバイスが要求し，Ｎｏｄｅ  Ｂが発行する変更コマンドによって変更が許可されたときは，変更してもよい。（更に，Ｎｏｄｅ  Ｂが要求されていない変更コマンドを発行することもできるし，ＵＥデータレートポインタ１１ａを，例えば，ＵＥが用いるデータレートが，ある予め定められた期間，データレートポインタ１１ａによって指示／許可された最大値よりも低いとき，Ｎｏｄｅ  ＢとＵＥとの双方がそれぞれのデータレートポインタ１０ａと１１ａとを減少させるという規定によって通知なしに変更することもできる。）
【００１７】
さて本発明によれば，データレートポインタの増加を加速させるために，データレートポインタの現在値が適切に低いとき（ポインタ変更要求にどのように応答するかを管理する先行技術に従うＮｏｄｅ  Ｂの予め定められた規則に反して），ＵＥデバイス１１とＮｏｄｅ  Ｂ１０とが，増加の加速を許可するＵＥデバイスとＮｏｄｅ  Ｂとに組み込まれた（すなわち例えばプログラムされた）予め定められた規則に従って，データレートポインタ１１ａを（及びＮｏｄｅ  Ｂのデータレートポインタ１０ａも）変更するように動作する。その規則は，実効上，現在のデータレートポインタ値がしきい値よりも低いか，又はゼロであるかどうかに基づいてデータレートポインタの増加を加速させるかどうかを定める。そのしきい値は，予め定められた規則の（動的／可変的）パラメータとして機能し，Ｎｏｄｅ  ＢとＵＥデバイスとにＲＮＣ１４によって有利に伝えられる。
【００１８】
このように，今度は図２も参照すると，本発明に従う方法において，ＲＮＣ１４がＴＦＣ値をＮｏｄｅ  Ｂ１０とＵＥデバイス１１（Ｎｏｄｅ  Ｂを介して）との双方にデータレートポインタの初期値と共に提供するステップ２１がある。次のステップ２２においては，ＲＮＣ１４はデータレートポインタを変更する通知を管理する規則のパラメータをＮｏｄｅ  Ｂ１０とＵＥデバイス１１とに提供し，そのパラメータはデータレートポインタのしきい値を指定するか，そうでなければ特徴付ける。そのパラメタは，単純に値を指示するか，又はＲＮＣがＮｏｄｅ  ＢとＵＥデバイスとに以前に伝えたＴＦＣセットのうちの特定のＴＦＣを指示する。次のステップ２３においては，データレートポインタがしきい値以下の値に設定されているシナリオを想定し，データレートポインタは初期値設定によるか，１以上の変更コマンドによってか，又は暗黙のポインタ変更についての予め定められた規則に暗黙に従って（上述のように，すなわち，例えば用いるデータレートがある予め定められた期間最大許容値よりも低かったとき，通知なしにデータレートポインタを変更するという規定に従って），設定される。次のステップ２４においては，ＵＥデバイスは，そのＵＥデバイスによって提供されるアプリケーションからデータを受信し，ＵＥデバイスはそのデータをＮｏｄｅ  Ｂにアップリンクしなければならない。次のステップ２５においては，ＵＥデバイスはＮｏｄｅ  Ｂに変更要求を送信することによって，データレートポインタの変更を要求する。（より高いデータレートを要求する前に，ＵＥはまず現在許可されているより高いデータレートを利用できるかどうかを，現在は規定されていない基準にしたがって評価しなければならない。）次のステップ２６においては，ここではＮｏｄｅ  ＢスケジューラはＵＥがその（最大許容）データレートを増加させることに同意するものと仮定して，Ｎｏｄｅ  Ｂがデータレートポインタを変更する通知を管理する規則に従ってポインタ変更要求に応答する。このようにしてＮｏｄｅ  Ｂは現在のデータレートポインタとしきい値とを比較し，ここで仮定しているシナリオではデータレートポインタの現在値はしきい値よりも低いので，Ｎｏｄｅ  Ｂはそのポインタ変更要求に対して，（Ｎｏｄｅ  Ｂスケジューラが１ステップ以上のデータレート増加を受け入れるものと仮定して）データレートポインタ増加を加速する（ポインタ変更コマンド／ビット列であってもよい）ポインタ変更コマンドで応答する。次のステップ２７においては，ＵＥデバイスはポインタ変更コマンド（例えば，下記のように２ステップ以上の変化を通知する２個のポインタ増加コマンドを含んでもよい）を受信し，データレートポインタを変更する通知を管理する規則に従ってポインタ変更コマンドを翻訳することに基づいてデータレートポインタを調整する。ここで仮定しているシナリオによれば，データレートポインタの現在値はしきい値よりも低いので，ＵＥデバイスは，下記のとおりさまざまな異なる信号であるポインタ変更コマンドを，データレートポインタが１ステップ／ＴＦＣ以上増加するように，すなわち，データレートポインタが現在の位置から１位置以上大きいＴＦＣに移動するよう��翻訳する。このようにＮｏｄｅ  Ｂは，データレートポインタを変更する通知を管理する，データレートポインタの現在値によって異なる規則を用いる。さらに，ＵＥデバイスによって行われるポインタ変更コマンドの翻訳は，データレートポインタを変更する通知を管理する規則に基づいている。このようにＵＥデバイスはデータレートポインタの現在値を考慮に入れ，現在のデータレートポインタがしきい値よりも低い場合には，ポインタ変更コマンドを恐らく異なって翻訳する。
【００１９】
ある実施例においては，（データレートポインタを変更する通知を管理する）予め定められた規則は，増加を加速するきっかけとなるしきい値に明示的な数値を用いることができ，また他の実施例では，しきい値として特定のＴＦＣの指示を用いることもできるし，ＴＦＣのサブセットの中で最大の最大許容データレートに対応するＴＦＣＳの指示されたサブセットにおけるＴＦＣを用いることさえもできることを理解することが重要である。このように，ここで用いるしきい値という用語は，増加を加速するきっかけの基礎として用いられるデータレート値を，明示的か暗示的かに関わらず指示することを意味するものと広く理解するのが望ましい。
【００２０】
本発明はまた，さまざまなしきい値及び対応するさまざまな規則，すなわち現在のデータレートポインタが第１のしきい値より低いか又は等しいとき第１の加速度で増加させ，現在のデータレートポインタが第２の（より高い）しきい値より低いか又は等しいが，第１のしきい値よりも高いときは第２の（より高い）加速度で増加させる，などの規則を含む。
【００２１】
加速した増加を提供するために，Ｎｏｄｅ  Ｂによって発行されるポインタ変更コマンドは，データレートポインタ１１ａのために新たな（明示的な）値を通知するか，又は（現在示されているＴＦＣよりも１以上高い位置のＴＦＣを示すように）ポインタを増加するようにステップ数を指示することができるか，又は上記の規定に本質的に類似の予め定められた規則に従った加速化された方法でポインタが変更されるように，暗黙的であることすら可能である。そしてその規則においては，Ｎｏｄｅ  ＢとＵＥデバイスとが双方とも，用いるデータレートがある予め定められた期間最大許容値より低かったとき，通知なしにそれぞれのデータレートポインタを減少させる。しかし，もちろんここでは，データレートポインタが（明示的なポインタ変更コマンドの通知なしに）増加されるように規定されている。
【００２２】
ポインタ変更コマンドによって通知されたものは何であれ，Ｎｏｄｅ  Ｂ１０からＵＥデバイス１１へ，例えば共有ダウンリンクチャネルを用い，ＵＥデバイスがポインタ変更コマンドが自分のために向けられていることを判定できるようにＵＥデバイス１１を識別するための指示子と共に伝えるようなさまざまな方法で伝えられる。代替として，ポインタ変更コマンドは，ダウンリンク専用物理データチャネル（ＤＰＤＣＨ）を用いて通知することもできる。その場合にはポインタ変更コマンドを伝えるためにあるビットが「盗まれる」。この機構は，ビットスチール（ｓｔｅａｌｉｎｇ）が行われるのは時々だけであり，一つのポインタ変更コマンドで一度にデータレートポインタを数ステップ（ＴＦＣ）動かすことができる本発明によれば更に少ない頻度で済むために可能なものである。代替として，また加速した増加が比較的しばしば必要になる応用の場合は最も有利であるが，ダウンリンク専用信号チャネル又はダウンリンク専用データチャネルのような，（新規又は既存の）ダウンリンク専用チャネルを用いることができる。３ＧＰＰ用語によれば，Ｎｏｄｅ  ＢとＵＥとの間の通知はＤＰＣＣＨ（専用物理制御チャネル）で搬送され，ユーザデータ，ネットワーク及びアプリケーションレベルの通知，並びにＲＮＣがＵＥと交わす通知はＤＰＤＣＨ（専用物理データチャネル）で搬送される。このように，３ＧＰＰ用語によれば，本発明はデータレートポインタに関する通知が，専用物理制御チャネル（すなわちより一般的な用語では信号チャネル），専用物理データチャネル，又はその双方，のいずれかによって搬送される実施例を含む。
【００２３】
これまで説明したとおり，Ｎｏｄｅ  Ｂ１０がデータレートポインタの現在値によってポインタ変更（増加）要求に対してさまざまな応答を返すことができるだけでなく，更にＵＥデバイス１１もデータレートポインタ１１ａのさまざまな現在値に対してポインタ変更コマンドをさまざまに翻訳することができる。このように，例えば，たとえＮｏｄｅ  Ｂがポインタ変更（増加）要求に対して実際には同じ応答，ポインタ増加コマンド，を返しても，本発明に従うＵＥデバイスは，ある実施例においては，このポインタ変更コマンドをある予め定められたステップ数（１以上），すなわち予め定められた急速増加ステップ数，によって増加させるコマンドか，又は予め定められたレート／ＴＦＣを示すようにポインタを変更する，すなわちポインタ１１ａを予め定められた急速増加ポインタ値に変更するコマンドかのいずれかとして理解する。そして，もちろん本発明に従うＮｏｄｅ  Ｂはデータレートポインタ１１ａの自分用のコピー１０ａを何らかの方法で調整するであろう。
【００２４】
ある実施例においては，（データレートポインタ１１ａを増加させる）ポインタ変更要求に応答する際に，変更コマンドはポインタ減少コマンドですらよく，現在値がゼロのとき，ＵＥデバイス１１はポインタ減少コマンドを，データレートポインタを予め定められた急速増加ポインタ値へ変更するコマンド，又はデータレートポインタを予め定められた急速増加ステップ数によって変更するコマンドとして翻訳する。
【００２５】
現在値がしきい値よりも低いとき，加速した増加を提供する通知の他の代替として，Ｎｏｄｅ  Ｂ１０はＴＦＣポインタの目標値（急速増加ポインタ値）を（例えばＮビットの数，Ｎは予め定められた数，として）搬送する予め定められた長さのビット列を発行する。そのような列の第１ビットは，それが示すコマンドを，ポインタ減少コマンド，又は（３段通知の場合）ヌル応答／ヌルポインタ変更コマンドと区別するために，（ポインタ減少コマンドビット，又は３段通知を用いるある実施例では）ヌルポインタ変更コマンドビット（送信なし，すなわちヌル応答）ではなくポインタ増加コマンドビットとするのが望ましい。その列の第１ビット（ポインタ増加コマンド）を受信した後，ＵＥは有利には直ちに１ステップ高いデータレートで送信を開始することができ，その列の引き続くビットを受信したとき，列によって指示された値を判定し，そしてその値によって指示されたデータレートに移行する。
【００２６】
上記のように，ＲＮＣ１４（すなわち，無線通信システムのコアネットワークの制御エレメント）は，有利にはＮｏｄｅ  Ｂ１０と，Ｎｏｄｅ  Ｂを介してＵＥデバイス１１とに予め定められた規則のパラメータを規定するのに十分な情報を伝える。そのパラメータは，ある実施例ではしきい値又は１以上の許可されたデータレート／ＴＦＣＳ内のＴＦＣのようなしきい値を特徴付ける情報を含み，ある実施例においては，予め定められた急速ポインタ値又は予め定められた急速ステップ数を含む。
【００２７】
本発明は，主として方法ステップとして記述された。本発明はまた，上記ステップを実行するための装置も含む。このように，図２に関連して上述した各ステップに対して，図１に示すデバイス，すなわちＵＥデバイス１１，Ｎｏｄｅ  Ｂ１０及びＲＮＣ１４，の一つ又は他に含まれる対応するモジュールがあり得る。上記のステップのいくつかを実行するための機能を一つのモジュールに組み込むこともまた可能である。それらのモジュールは，ハードウェアとして実装してもよいし，若しくは一つのプロセッサ又は装置（ＵＥデバイス，Ｎｏｄｅ  Ｂ，及びＲＮＣ）のそれぞれの異なる部分にある複数のプロセッサによって実行されるソフトウェア又はファームウェアによって実装してもよい。特に，ファームウェア又はソフトウェアの場合，本発明は，計算機プロセッサによって実行される計算機プログラムコード，すなわちソフトウェア又はファームウェア，を実装した計算機可読記憶機構を含む計算機プログラム製品として提供される。
【００２８】
上記の構成は本発明の原理の応用を例示するものに過ぎないことを理解されたい。本技術の当業者であれば本発明の範囲からはずれることなく，多くの変更物及び代替構成を考案することができ，したがって本願の請求項はそれら変更物及び構成物を包含するように意図されている。
【図面の簡単な説明】
【００２９】
【図１】いくつかは先行技術に従い，いくつかは本発明に従ってデータ及び関連する通知を伝えるＵＥデバイス及びＮｏｄｅ  Ｂのブロック図／フロー図である。
【図２】本発明に従って，ＵＥデバイスが利用できる最大許容データレートを指示するデータレートポインタを変更するように通知するＵＥ／Ｎｏｄｅ  Ｂのフロー図である。
【図１】
2007522717.tif 000003
【図２】
2007522717.tif 000004
【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
無線通信システムのノードと無線通信を行うように構成されたユーザ装置デバイスに，該ユーザ装置デバイス内で管理されるデータレートポインタの値を調整するように指示する方法であって，前記データレートポインタは前記ノードへのアップリンクデータ送信のために前記ユーザ装置が利用できる最大許容データレートを指示し，前記方法は，
前記ノードが，前記ユーザ装置デバイスによる変更要求に応答する際に，予め定められた規則に基づいてポインタ変更コマンドを前記ユーザ装置デバイスに発行し，
前記ユーザ装置デバイスが前記データレートポインタを前記変更コマンドに従い，該変更コマンドを翻訳するための予め定められた規則に従って調整し，
前記ノードが前記変更要求に応答する際に用いる前記の予め定められた規則を，前記データレートポインタの現在値によって異なるものとする方法。
【請求項２】
更に，前記の予め定められた規則を，前記データレートポインタのしきい値に比べた該データレートポインタの現在値によって異なるものとする請求項１に記載の方法。
【請求項３】
更に，前記現在値が前記しきい値より低いとき，前記変更コマンドが前記データレートポインタの新しい値を通知するか，又は前記データレートポインタを増加させるステップ数を通知する請求項２に記載の方法。
【請求項４】
更に，前記の新しい値を，前記ユーザ装置デバイスを識別する指示子と共に，共有ダウンリンクチャネルを用いて通知する請求項３に記載の方法。
【請求項５】
更に，前記の新しい値を，ダウンリンク専用物理データチャネルを用いて通知する請求項３に記載の方法。
【請求項６】
更に，前記の新しい値を，ダウンリンク専用データチャネル，又はダウンリンク専用信号チャネルを用いて通知する請求項３に記載の方法。
【請求項７】
更に，前記変更要求に応答する際に前記ノードによって用いられる前記の予め定められた規則に従って，前記ユーザ装置デバイスが前記変更コマンドを前記データレートポインタの現在値の異なる変更値に翻訳する請求項１に記載の方法。
【請求項８】
更に，前記の予め定められた規則を，前記データレートポインタのしきい値に比べた該データレートポインタの現在値によって異なるものとする請求項７に記載の方法。
【請求項９】
前記変更コマンドをポインタ増加コマンドとし，前記の現在値が前記しきい値よりも低いときは，前記ユーザ装置デバイスが前記ポインタ増加コマンドを，前記データレートポインタを予め定められた急速増加ポインタ値に変更するコマンドか，又は前記データレートポインタを予め定められた急速増加ステップ数によって変更するコマンドに翻訳する請求項８に記載の方法。
【請求項１０】
前記変更コマンドをポインタ減少コマンドとし，前記の現在値がゼロのときは，前記ユーザ装置デバイスが前記ポインタ減少コマンドを，前記データレートポインタを予め定められた急速増加ポインタ値に変更するコマンドか，又は前記データレートポインタを予め定められた急速増加ステップ数によって変更するコマンドに翻訳する請求項８に記載の方法。
【請求項１１】
前記現在値が前記しきい値よりも低いときは，前記ノードが前記のポインタ変更コマンドとして予め定められた長さのビット列を発行し，前記ユーザ装置デバイスが前記ビット列を前記データレートポインタの変更値を伝えるか，又は前記データレートポインタを変更するステップ値を伝えるものとして翻訳する請求項８に記載の方法。
【請求項１２】
前記ビット列の第１ビットをポインタ増加コマンドとし，前記のビット列の第１ビットを受信したとき，前記ユーザ装置デバイスは直ちに前記データレートポインタを１ステップだけ増加させ，前記ビット列の他のビットを受信したとき，前記ユーザ装置デバイスは，前記ポインタ変更コマンドとして前記ビット列を受信するように管理する前記の予め定められた規則に従って前記データレートポインタを変更する請求項１１に記載の方法。
【請求項１３】
ポインタ変更コマンドビット列の第１ビットがポインタ増加コマンドでないとき，前記ユーザ装置デバイスが前記第１ビット及び引き続くビットを個別ポインタ変更コマンドとして翻訳する請求項１２に記載の方法。
【請求項１４】
無線通信システムのノード内の計算機プロセッサによって実行するための計算機プログラムコードを実装した計算機可読記憶機構を具備する計算機プログラム製品であって，前記計算機プログラムコードは，前記ノードによって実行する方法のための命令を含み，前記コードは，
前記ノードが，ユーザ装置デバイスによる変更要求に応答する際に，予め定められた規則に基づいて最大許容データレートを指示するポインタを変更するポインタ変更コマンドを前記ユーザ装置デバイスに発行し，
前記変更要求に応答する際に前記ノードが用いる前記の予め定められた規則を，前記データレートポインタの現在値によって異なるものとする計算機プログラム製品。
【請求項１５】
無線通信システムを介して通信を行うように適応させたユーザ装置デバイス内の計算機プロセッサによって実行するための計算機プログラムコードを実装した計算機可読記憶機構を具備する計算機プログラム製品であって，前記計算機プログラムコードは，前記ユーザ装置デバイスによって実行する方法のための命令を含み，前記コードは，
最大許容データレートを指示するポインタを変更するポインタ変更コマンドに従ってデータレートポインタを調整し，該調整は前記変更コマンドを翻訳するための予め定められた規則に基づいて実行され，
前記変更コマンドは，前記ユーザ装置デバイスが前記ノードに発行した変更要求に応答してノードから受信され，前記変更要求に応答する際に前記ノードが用いる前記の予め定められた規則を，前記データレートポインタの現在値によって異なるものとする計算機プログラム製品。
【請求項１６】
無線通信システムのノードと無線通信を行うように構成されたユーザ装置デバイスが用いるための装置であって，該装置は前記ユーザ装置デバイス内で管理されるデータレートポインタの値を調整する際に用いられ，該データレートポインタが前記ノードへのアップリンクデータ送信のために前記のユーザ装置が利用できる最大許容データレートを指示し，前記装置は，
前記ユーザ装置デバイスが前記ノードからポインタ変更コマンドを受信する手段と，
前記ユーザ装置デバイスが前記変更コマンドに従って前記データレートポインタを調整する手段とを含み，
前記変更コマンドを，前記データレートポインタの現在値によって異なる予め定められた規則に基づいて翻訳する装置。
【請求項１７】
ユーザ装置デバイスと無線通信を行うように構成された無線通信システムのノードが用いるための装置であって，前記ユーザ装置デバイス内で管理されるデータレートポインタの値を調整する際に用いられ，該データレートポインタが前記ノードへのアップリンクデータ送信のために前記のユーザ装置が利用できる最大許容データレートを指示し，
前記ノードが前記ユーザ装置デバイスからの変更要求に応答する際に，前記データレートポインタの現在値によって異なる予め定められた規則に基づいて，前記データレートポインタの値を変更するためのポインタ変更コマンドを前記ユーザ装置デバイスに発行する手段と，
前記ノードが前記データレートポインタの値を追跡する手段とを備える装置。
【請求項１８】
無線通信システムのノードが機能を提供するコンポーネントと，該ノードと無線通信を行うように構成されたユーザ装置デバイスが機能を提供するコンポーネントとを含むシステムであって，該システムは前記ユーザ装置デバイス内で管理されるデータレートポインタの値を調整するように前記ユーザ装置デバイスに指示する際に用いられ，前記データレートポインタが前記ノードへのアップリンクデータ送信のために前記ユーザ装置が利用できる最大許容データレートを指示し，前記システムは，
前記ノードが前記ユーザ装置デバイスによる変更要求に応答する際に，前記変更要求に応答するための予め定められた規則に基づいてポインタ変更コマンドを前記ユーザ装置デバイスに発行する手段と，
前記ユーザ装置デバイスが前記変更コマンドに従い，該変更コマンドを翻訳するための予め定められた規則に基づいて前記データレートポインタを調整する手段とを含み，
前記変更要求に応答する際に前記ノードが用いる予め定められた規則を，前記データレートポインタの現在値によって異なるものとするシステム。
【請求項１９】
前記無線通信システムのコアネットワークのコントローラ要素（１４）を更に備え，該コントローラ要素（１４）を，前記の予め定められた規則のパラメータを規定するのに十分な情報を，前記ノード及び該ノードを介して前記ユーザ装置デバイスに伝えるように構成する請求項１８に記載のシステム。
【請求項２０】
前記パラメータが，前記しきい値又はしきい値を特徴付ける情報を含む請求項１９に記載のシステム。
【請求項２１】
前記のしきい値を特徴付ける情報を，１以上の許可データレートとする請求項２０に記載のシステム。
【請求項２２】
前記パラメータが，前記の予め定められた急速増加ポインタ値を含む請求項２０に記載のシステム。
【請求項２３】
前記パラメータが，前記の予め定められた急速増加ステップ数を含む請求項２０に記載のシステム。
【請求項２４】
無線通信システムのノードと無線通信を行うように構成されたユーザ装置デバイスが用いるための装置であって，該装置は前記ユーザ装置デバイス内で管理されるデータレートポインタの値を調整する際に用いられ，該データレートポインタが前記ノードへのアップリンクデータ送信のために前記ユーザ装置が利用できる最大許容データレートを指示し，計算機プロセッサであって，
前記ノードからポインタ変更コマンドを受信し，
前記データレートポインタの現在値によって異なる予め定められた規則に基づいて前記変更コマンドを翻訳することによって，該変更コマンドに従って前記データレートポインタを調整するように構成された計算機プロセッサを備える装置。
【請求項２５】
前記プロセッサを，前記の予め定められた規則に従って，前記データレートポインタの異なる現在値に対して前記変更コマンドを異なって翻訳するように構成する請求項２４に記載の装置。
【請求項２６】
前記の予め定められた規則を，前記データレートポインタのしきい値と比べた前記データレートポインタの現在値に従って異なるものとする請求項２４に記載の装置。
【請求項２７】
前記しきい値が前記現在値より低いとき，前記変更コマンドが前記予め定められた規則に従って前記データレートポインタの新しい値を通知するか，又は前記データレートポインタを増加させるステップ数を通知する請求項２６に記載の装置。
【請求項２８】
前記変更コマンドをポインタ増加コマンドとし，前記現在値が前記しきい値より低いときは，前記プロセッサが前記ポインタ増加コマンドを，前記データレートポインタを予め定められた急速増加ポインタ値に変更するコマンドか，又は前記データレートポインタを予め定められた急速増加ステップ数によって変更するコマンドに翻訳するように前記プロセッサを構成する請求項２６に記載の装置。
【請求項２９】
前記変更コマンドをポインタ減少コマンドとし，前記の現在値がゼロのときは，前記プロセッサは前記ポインタ減少コマンドを，前記データレートポインタを予め定められた急速増加ポインタ値に変更するコマンドか，又は前記データレートポインタを予め定められた急速増加ステップ数によって変更するコマンドに翻訳するように前記プロセッサを構成する請求項２６に記載の装置。
【請求項３０】
前記現在値が前記しきい値よりも低いときは，前記のポインタ変更コマンドを予め定められた長さのビット列とし，前記プロセッサは前記ビット列を前記データレートポインタの変更値を伝えるか，又は前記データレートポインタを変更するステップ値を伝えるものとして翻訳するように前記プロセッサを構成する請求項２６に記載の装置。
【請求項３１】
前記ビット列の第１ビットをポインタ増加コマンドとし，前記のビット列の第１ビットを受信したとき，前記ユーザ装置デバイスは直ちに前記データレートポインタを１ステップだけ増加させ，前記ビット列の他のビットを受信したとき，前記ユーザ装置デバイスは，前記ポインタ変更コマンドとして前記ビット列を受信するように管理する前記の予め定められた規則に従って前記データレートポインタを変更するように前記プロセッサを構成する請求項３０に記載の装置。
【請求項３２】
ポインタ変更コマンドビット列の第１ビットがポインタ増加コマンドでないとき，前記プロセッサは前記第１ビット及び引き続くビットを個別ポインタ変更コマンドとして翻訳するように前記プロセッサを構成する請求項２４に記載の装置。
【請求項３３】
ユーザ装置デバイスと無線通信を行うように構成された無線通信システムのノードが用いるための装置であって，該装置は前記ユーザ装置デバイス内で管理されるデータレートポインタの値を調整する際に用いられ，前記データレートポインタが前記ノードへのアップリンクデータ送信のために前記ユーザ装置が利用できる最大許容データレートを指示し，計算機プロセッサであって，
前記ユーザ装置デバイスからの変更要求に応答する際に，前記データレートポインタの現在値によって異なる予め定められた規則に基づいて，前記データレートポインタの値を変更するためのポインタ変更コマンドを前記ユーザ装置デバイスに発行し，
前記データレートポインタの値を追跡するように構成された計算機プロセッサを備える装置。
【請求項３４】
前記ポインタ変更コマンドを，前記ユーザ装置デバイスを識別する指示子と共に，共有ダウンリンクチャネルを用いて通知するように前記プロセッサを構成する請求項３３に記載の装置。
【請求項３５】
前記ポインタ変更コマンドを，ダウンリンク専用物理データチャネルを用いて通知するように前記プロセッサを構成する請求項３３に記載の装置。
【請求項３６】
前記ポインタ変更コマンドを，ダウンリンク専用データチャネル又はダウンリンク専用信号チャネルを用いて通知するように前記プロセッサを構成する請求項３３に記載の装置。
【請求項３７】
前記の予め定められた規則を，前記データレートポインタのしきい値に比べた前記データレートポインタの現在によって異なるものとする請求項３３に記載の装置。
【請求項３８】
前記現在値が前記しきい値より低いとき，前記変更コマンドは前記データレートポインタの新しい値を通知するか，又は前記データレートポインタを増加させるステップ数を通知するように前記変更コマンドを予め定める請求項３７に記載の装置。
【請求項３９】
前記現在値が前記しきい値よりも低いときは，前記プロセッサが予め定められた規則に従って前記のポインタ変更コマンドとして予め定められた長さのビット列を発行するように構成し，その規則によって前記ユーザ装置デバイスが前記ビット列を前記データレートポインタの変更値を伝えるか，又は前記データレートポインタを変更するステップ値を伝えるものとして翻訳する請求項３７に記載の装置。
【請求項４０】
前記ビット列の第１ビットをポインタ増加コマンドとし，前記装置が前記の予め定められた規則に従って前記ユーザ装置に対して，前記のビット列の第１ビットを受信したとき，前記ユーザ装置デバイスは前記データレートポインタを１ステップだけ増加させ，前記ビット列の他のビットを受信したとき，前記ユーザ装置デバイスは前記ポインタ変更コマンドとして前記ビット列を受信するように管理する前記の予め定められた規則に従って前記データレートポインタを変更するように通知する請求項３９に記載の装置。
【請求項４１】
ポインタ変更コマンドビット列の第１ビットがポインタ増加コマンドでないとき，第１ビット及び引き続くビットを個別ポインタ変更コマンドとして翻訳する請求項３３に記載の装置。
【国際調査報告】
2007522717.tif 000005